(57)【要約】【課題】  モニタを備えていなくとも、訪問者を確認できるようにしたインターホンシステムを提供する。【解決手段】  呼出釦１１を有するドアホン１０と、ドアホン１０からの呼出を検出し、通話回路２２を介して通話を行うインターホン親機２０とからなるインターホンシステムにおいて、ドアホン１０は、呼出釦１１が操作されると、操作者の名前を名乗らせるメッセージを出力するメッセージ出力部１３を備え、インターホン親機２０は、ドアホン１０側からの呼出信号を検出する呼出検出部２９と、呼出検出部２９による呼出信号の検出により動作し、ドアホン１０側からインターホン親機２０側への片方向の通信のみを可能にし、ドアホン１０側から出力された音声信号を取り込む片側通話回路２４とを備えたものである。【選択図】        図１
2006270271.tif 000002
【特許請求の範囲】
【請求項１】
呼出釦を有する玄関機と、
該玄関機からの呼出を検出し、通話回路を介して通話を行うインターホン親機と
からなるインターホンシステムにおいて、
前記呼出釦が操作されると、操作者の名前又は用件を尋ねるメッセージを出力するメッセージ出力部と
を備えたことを特徴とするインターホンシステム。
【請求項２】
前記インターホン親機は、
前記玄関機側からの呼出信号を検出する呼出検出部と、
該呼出検出部による前記呼出信号の検出により動作し、前記玄関機側から前記インターホン親機側への片方向の通信のみを可能にし、前記玄関機側から出力された音声信号を取り込む片側通話回路と
を備えたことを特徴とする請求項１記載のインターホンシステム。
【請求項３】
前記インターホン親機は、
前記呼出釦が操作された後、前記訪問者の音声信号を前記片側通話回路を介して取り込んで記憶する音声記憶部と、
前記音声記憶部に記憶された音声信号を出力する音声出力部と
を備えたことを特徴とする請求項２記載のインターホンシステム。
【発明の詳細な説明】
【技術分野】
【０００１】
本発明は、呼出釦を有する玄関機と、玄関機からの呼出を検出して通話回路を介して通話を行うインターホン親機とからなるインターホンシステムに関する。
【背景技術】
【０００２】
マンションなどの集合住宅において、集合玄関には集合玄関機が設けられ、住戸の玄関には玄関子機（ドアホン）が設けられている。この集合玄関機はカメラを内蔵しており、居住者を呼び出す時には、訪問者の映像が住戸内に設置された住宅情報盤のモニタに表示されるようになっている（例えば特許文献１）。このシステムでは、モニタの映像を確認してから通話を行えるので、押し売り等、訪ねて来た相手と話したくない場合には、通話をしなくて済む（通話をしない状態が続くと所定時間後に、呼出が解除するようになっている）。
【特許文献１】特開平１０−１５０４９９号公報
【発明の開示】
【発明が解決しようとする課題】
【０００３】
しかし、カメラを内蔵していない集合玄関機が設置されたマンションにおいては、居住者側はモニタによる映像確認を行えず通話をしてみないと来訪者の確認が行えないという問題点がある。また、集合玄関機が設置されていないマンションにおいては、来訪者は玄関子機（ドアホン）から呼び出しを行うが、前述と同様に通話をしてみないと来訪者の確認が行えないという問題点がある。
【０００４】
本発明は、このような問題点を解決するためになされたものであり、モニタを備えていなくとも、訪問者を確認できるようにしたインターホンシステムを提供することを目的とする。
【課題を解決するための手段】
【０００５】
本発明に係るインターホンシステムは、呼出釦を有する玄関機と、該玄関機からの呼出を検出し、通話回路を介して通話を行うインターホン親機とからなるインターホンシステムにおいて、前記呼出釦が操作されると、操作者の名前又は用件を尋ねるメッセージを出力するメッセージ出力部とを備えたものである。
また、本発明に係るインターホンシステムにおいて、前記インターホン親機は、前記玄関機側からの呼出信号を検出する呼出検出部と、該呼出検出部による前記呼出信号の検出により動作し、前記玄関機側から前記インターホン親機側への片方向の通信のみを可能にし、前記玄関機側から出力された音声信号を取り込む片側通話回路とを備えたものである。
また、本発明に係るインターホンシステムにおいて、前記インターホン親機は、前記呼出釦が操作された後、前記訪問者の音声信号を前記片側通話回路を介して取り込んで記憶する音声記憶部と、前記音声記憶部に記憶された音声信号を出力する音声出力部とを備えたものである。
【発明の効果】
【０００６】
本発明においては、呼出釦が操作されると、操作者の名前又は要件を尋ねるメッセージを自動的に出力するようにしたので、モニタを備えていなくとも、訪問者を確認することが可能になっている。
【発明を実施するための最良の形態】
【０００７】
図１は本発明の実施形態に係るインターホンシステムの構成を示すブロック図である。インターホンシステムは、住戸の玄関等の外側に取付られるドアホン１０と、住戸内に取付られるインターホン親機２０とから構成されており、両者は通話線Ｔを介して接続されている。ドアホン１０は、呼出釦１１、呼出し部１２、メッセージ出力部１３、スピーカ１４、マイクロフォン１５、及び通話回路１６を備えている。ドアホン１０のメッセージ出力部１３は記憶装置（図示せず）が内蔵されている。その記憶装置には操作者に名前を名乗らせるメッセージ例えば「名前をお知らせ下さい。」というような音声信号が記憶されており、呼出釦１１が操作されると、その音声信号をスピーカ１４に出力する。また、インターホン親機２０は、通話手段２１、通話回路２２、スイッチ切換部２３、片側通話回路２４、音声記憶部２５、音声出力部２６、スピーカ２７、制御部２８及び呼出検出部２９を備えている。片側通話回路２４は、呼出検出部２９による呼出信号の検出により動作し、ドアホン１０側からインターホン親機２０側への片方向の通話のみを可能にするもので、この片側通話回路２４を設けることで、ドアホン１０側の音声をモニタすることが可能になる。
【０００８】
図１のインターホンシステムにおいて、訪問者がドアホン１０の呼出釦１１を操作して押すと、呼出し部１２が呼出信号を通話回線Ｔを介してインターホン親機２０側に出力する。インターホン親機２０では、呼出検出部２９がその呼出信号を検出して制御部２８に検出信号を出力する。制御部２８はその検出信号が入力されると、スイッチ切換部２３を端子ｂ側に切り換えて、通話回線Ｔを片側通話回路２４側に接続する。また、呼出検出部２９は呼出信号を検出すると、訪問者が来ていることを知らせるためにスピーカ２７から呼び出し音（例えばチャイム音）を出力させる。これにより、居住者は訪問者が玄関に来ていることを認識することができる。
【０００９】
また、ドアホン１０側では、呼出釦１１の操作に伴って、メッセージ出力部１３が例えば予め記憶してある音声信号例えば「名前をお知らせ下さい。」というようなメッセージをスピーカ１４に出力し、訪問者に名前を尋ねて名乗るように案内する。このメッセージ出力部１３による案内については、表示器（図示せず）に表示させるようにしてもよい。ここで訪問者が自分の名前を例えば「永田です」と名乗ると、その音声はマイクロフォン１５により音声信号に変換され、通話回路１６及び通話線Ｔを介してインターホン親機２０側に送信される。インターホン親機２０側では、ドアホン１０からの音声信号がスイッチ切換部２３の端子ｂ及び片側通話回路２４を経由して音声記憶部２５に取り込まれて記憶される（例えば１０数秒間記憶する）。なお、音声記憶部２５は、呼出検出部２９からの検出信号により起動するものとする。音声出力部２６は、図示しないタイマを内蔵しており、チャイム音信号と音声記憶部２５に記憶された音声信号とを例えば数秒毎に交互に出力し、スピーカ２７からはチャイム音信号と「永田です」という音声とが交互に出力されることになる。なお、このとき、インターホン親機２０とドアホン１０とは片側通話回路２４を介して接続されており、インターホン親機２０側からの音声信号等がドアホン１０側に送信されることはないので、ドアホン１０側の訪問者に居住者の存在等を知られることにはならない。
【００１０】
上述のように、スピーカ２７からはチャイム音と「永田です」という音声とが交互に出力されるので、居住者がインターホン親機２０から離れていて、訪問者の第一声を聞き逃しても、誰が来たかを知ることができる。このように、本実施形態では、通話を開始する前に、訪問者が誰であるのかを知ることができるので、押し売り等の相手をしないで済む。
【００１１】
居住者は、訪問者が友人などで通話をしたい場合には、例えばハンドセット等から構成される通話手段２１を取り上げる。これにより制御部２８がそれを検出して、スイッチ切換部２３のスイッチを端子ａ側に切換えて、通話回路２２を通話線Ｔに接続する。こうして、インターホン親機２０とドアホン１０では、それぞれの通話回路２２，１６を介して通話を行うことができる。
【００１２】
なお、上述の説明においては、メッセージ出力部１３をドアホン１０側に設けた例について説明したが、インターホン親機２０側に設けて、呼出検出部２９の呼び出し信号の検出により動作して、メッセージをドアホン１０側に送信して訪問者に名前を名乗るように案内させるようにしてもよい。また、上記の説明においては、玄関機としてドアホンの例について説明したが、本発明おいてはマンション等に設置されるに集合玄関機を玄関機の一例として使用したインターホンシステムにも同様に適用される。
【００１３】
なお、メッセージ出力部１３から「名前をお知らせ下さい。そして、その後に呼出釦を押して下さい」と出力させるようにしてもよい。この場合には、音声記憶部２５による音声の記憶は初めの呼出釦の操作で録音を開始し、名乗った後の２回目の呼出釦の操作で録音を停止するようにし、その音声をチャイム音と交互に出力すると、音声のない無駄な時間をなくすことができる。また、メッセージ出力部１３は、操作者の名前を名乗らせるメッセージを出力させるようにしたが、例えば「御用は何でしょうか？」のように用件を尋ねるメッセージを出力させるようにしてもよい。
【図面の簡単な説明】
【００１４】
【図１】本発明の実施形態に係るインターホンシステムの構成を示すブロック図である。
【符号の説明】
【００１５】
１０ ドアホン、１１ 呼出釦、１２ 呼出し部、１３ メッセージ出力部、１４ スピーカ、１５ マイクロフォン、１６ 通話回路、２０ インターホン親機、２１ 通話手段、２２ 通話回路、２３ スイッチ切換部、２４ 片側通話回路、２５ 音声記憶部、２６ 音声出力部、２７ スピーカ、２８ 制御部、２９ 呼出検出部。
【図１】
2006270271.tif 000003